Podtech/llm-jp-corpus-v4-ja_patent huggingface dataset:
(57)【要約】      （修正有）【課題】余り利用されていない桑の葉を活用して、美容・健康に良い、機能性食品、健康食品を提供する。【解決手段】血中脂質代謝の改善、生体にとって有害な過酸化物の生成抑制などの作用のある生理活性成分を含有する桑葉粉末に、玄米黒酢、リンゴ酢、黒糖、バナナペーストを混合・撹拌した、美容・健康促進飲料。また、この飲料に、アシタバ、アマチャヅル、ウコン、アロエ、ノニ等から抽出した成分を混合しても良い。この抽出は、水抽出又はアルコール抽出とすることができ、それぞれ異なる味覚を付与することができる。【選択図】なし【特許請求の範囲】
【請求項１】
玄米黒酢、リンゴ酢、黒糖、バナナペースト、桑葉粉末を撹拌した美容、健康促進飲料製造。
【発明の詳細な説明】
【技術分野】
【０００１】  本発明は一般人の美容、健康促進に関する。
【背景技術】
【０００２】  従来個人に於いて、自個用として独自の創り方をしている者もいる、しかし単純なもの故え効果は少ない。【０００３】  従来個人に於いて創っている飲料について説明する。一般的普通の酢の中に黒糖、バナナを入れて１日〜２日でバナナを取り出した残りの酢を飲用している。【０００４】  本発明の撹拌飲料は酢、黒糖、バナナの他に、特に女性の美容、健康に効力の高い抽出物を採用加えるものである。
【発明の開示】
【発明が解決しようとする課題】
【０００５】  従来の飲料では、手間が掛かる割に効果の少ないものである。【０００６】  本発明は従来のものより依り効果を増大できるよう問題を解決しようとするものであり、効力のある飲料を実現することを目的とするものである。
【課題を解決するための手段】
【０００７】  本発明は、上記目的を達成するために玄米黒酢、リンゴ酢、黒糖、はちみつ入りバナナペースト、桑葉粉末を撹拌するものである。【０００８】  また、第２の課題解決策として、沈殿した桑葉粉末の効力をより発揆させる為め無濾過とする。尚、濾過するも可。【０００９】  なぜ桑葉を重要視かと言えば、含まれている１−デオキシノジリマイシンと云う成分が小腸からの過剰な糖吸収を抑える為め、肥満、血糖値、中性脂肪、コレステロール等改善に働きかけに重要である。【００１０】  本発明の撹拌飲料に、アシタバ、アマチャヅル、ウコン、アロエ、ノニよりなる群より選ばれた１又は２以上から抽出した成分を混入してもよい。
【発明の効果】
【００１１】  上述したように、本発明の撹拌飲料は効果として便秘改善、ダイエット、体脂肪の減少、冷え症の改善、肌のうるおい感、吹き出物、熟睡感等の効果を提供できる。【００１２】  また美容、健康だけに限らず、牛乳、豆乳、水、サイダー、アルコール等と割り飲むと清涼感に優れている。【００１３】  本発明の撹拌飲料は、それぞれの原材料から醸し出す風味が良く嗜好性に優れている。
この撹拌飲料に更にアシタバ、アマチャヅル、ウコン、アロエ、ノニの成分を抽出添加するか、或いはその成分を予め水、又はアルコール等により抽出した抽出液を添加することに、よりそれぞれ異なる味覚を付与し、或いはそれぞれの成分の薬効や人体に対する特有の効果を発揆することが出来る。
〔表の簡単な説明〕
表１］本発明の実施形態を示す分量表
表２  本発明の原材料製産者と分析試験成績書
表３  本発明の分析試験成績書
【表１】
2008067688.tif 000002
【表２】
2008067688.tif 000003
【表３】
2008067688.tif 000004
(57)【要約】【課題】  タバコのスイガラを安全に始末し、万が一消え方が不完全でも大事に到らずに確実に消火できる防火安全スイガラ入れを提供する。【解決手段】  タバコのスイガラを入れる内容器に、吸殻を入れ水を掛けることで消火し、密閉容器で空気の供給を少なくすることで完全に消火する。【選択図】図１
2008067689.tif 000002
【特許請求の範囲】
【請求項１】
（イ）底部に穴の付いた内容器３。
（ロ）内容器３を底部で浮かせる支え４と、内容器３を内包できる密閉容器（１・２）。
以上のごとく構成されたスイガラ入れ容器。
【発明の詳細な説明】
【技術分野】
【０００１】  この考案は、水をかけることでスイガラの火を消し、更に、密閉することで消火を確実にするスイガラ入れ容器にかんするものである。
【背景技術】
【０００２】  公共施設などでは、スイガラ入れに水を入れて使っているものもあるが、これは後始末が大変であり、万が一倒れた場合などを考えると、オフィスなどの室内で使用するのには適さない。
台所のネット付生ごみ容器に捨て、水を掛けたりしているが、これもきちんと消火できるかなど防火上問題が多い。
灰皿などにスイガラをためておき最後に捨てる場合も、各個人の防火意識を考えると安全性が懸念される。
消化が不十分にしかなされないことが考えられ、発火の一歩手前のボヤ騒ぎにまで行く危険性がある。
【発明の開示】
【発明が解決しようとする課題】
【０００３】  この考案は、スイガラの消火をより確実なものにし、更に、万が一消え残っていたとしても発火にいたることなく消火し、安全にゴミ箱に捨てられるようにするものである。
【課題を解決するための手段】
【０００４】  いまこれを、図面について説明すれば、
底に水抜き穴５のついた内容器３を底部で浮かせるための支え４をもった密閉容器（１・２）に内包したものである。【０００５】  実際の使用方法について例をもって説明すれば、
（イ）密閉容器１にセットした内容器３にスイガラを入れる。
（ロ）スイガラの上から水をかけ湿らせる。この時、内容器底部の水抜き穴５から、余分な水は下に落ちる。
（ハ）密閉容器１のフタ２を閉め、一晩放置する。
（ニ）朝一番に完全な消火を確認し、スイガラを生ごみ入れ等に捨てる。
【発明の効果】
【０００６】  万が一、スイガラが完全に消火されていなくても、他の吸殻は湿っており、更に、密閉容器なので大事に至らない。
このため、その場を離れた後に、完全に消火されているかの不安を払拭できる。
【発明を実施するための最良の形態】
【０００７】  容器の材質は、防錆性・耐火性があり、形成された時に密閉性が得られる金属が最良である。
陶器・陶磁器・セラミックス・ホーロ等も密閉性が得られれば使用可能である。
内容器３底部と密閉容器１の底に水を貯める空間を作るには、密閉容器１の上部に内容器３を支える構造にすることも可能である。
【図面の簡単な説明】
【０００８】
【図１】本発明の断面図である。
【符号の説明】
【０００９】    １  密閉容器
２  密閉容器フタ
３  内容器
４  内容器支え
５  水抜き穴
【図１】
2008067689.tif 000003
(57)【要約】【課題】  頻度が多い牛のげっぷ中に含まれるメタンガスによる地球温暖化の影響は二酸化炭素に次いで高いためげっぷを減少させ、メタンガスの発生を抑制して無臭化させる飼育飼料の提供。【解決手段】  飼育飼料用原料に、大豆・米・麦・林檎などの農産物を食品用にする時或は食べた後に生じた５〜６０％含水の廃棄物（例えば雪花菜・米ぬか・麦粉・林檎の皮や芯等）と、乳酸菌液或は不用となった乳酸菌廃液からなる添加物を混合し、１００℃迄の低温にて乾燥したものである。【選択図】なし【特許請求の範囲】
【請求項１】
飼育飼料用原料に、大豆・米・麦・林檎などの農産物を食品用にする時或は食べた後に生じた５〜６０％含水の廃棄物（例えば雪花菜・米ぬか・麦粉・林檎の皮や芯等）と、添加物を混合し、１００℃迄の低温にて乾燥したことを特徴とする牛飼育用飼料。
【請求項２】
飼育飼料用原料に、米・麦などの農産物を食品にする時に生じた廃棄物（例えば藁等）と、添加物を混合して１００℃迄の低温にて乾燥し、空気が抜けるようにした二重構造からなる袋に入れて発酵させたことを特徴とする牛飼育用飼料。
【請求項３】
添加物としては、乳酸菌液或は不用となった乳酸菌廃液又はあらゆる液体の粕としてなる請求項１及び請求項２の牛飼育用飼料。
【発明の詳細な説明】
【技術分野】
【０００１】  本発明は牛を飼育する時に与えて牛のげっぷを減少させ、げっぷに含まれるメタンガスの発生を抑制し、メタンガスによる地球温暖化を防止することが出来る牛飼育用飼料に関するものである。
【背景技術】
【０００２】  近年生活水準の向上に伴ってバスツァーやマイカーによる観光が盛んとなって来ている。  そのため各地域に於いては、村或は町起しを兼て温泉或は特産物を持って地域の発展に貢献しようとする気運が高まって、その一環として牛も注目され、スキー場の後や丘の草原を利用したりして自然環境による飼育に色々な工夫がなされてきている。
このように牛の飼育に対して色々な工夫がなされてきているが、牛は本来げっぷの頻度が多くそのげっぷ中に含まれるメタンガスも地球温暖化への影響は二酸化炭素に次いで高いため、飼育原料に乳酸菌・その他発酵菌を加えて用いることによって、消化機能を向上させ吸収効果を高めて排泄量を減少させて無臭化させるようにしたものが考えられて来ている。
【発明が解決しようとする課題】
【０００３】  このように牛のげっぷを抑制するために乳酸菌・その他発酵菌を加えて用いるだけでは未だ十分とは云えず、牛飼育用飼料としては非常に不都合を感じていた。
【課題を解決するための手段】
【０００４】  本発明はこのような不都合を解消し、産業廃棄物を再利用し牛の腸内での栄養吸収をより強力に行ない排泄量を抑制して無臭化させることが出来、且牛に優しい牛飼育用飼料を提供せんとするものである。
【０００５】  飼育飼料用原料に、大豆・米・麦・林檎などの農産物を食品用にする時或は食べた後に生じた５〜６０％含水の廃棄物（例えば雪花菜・米ぬか・麦粉・林檎の皮や芯等）と、添加物を混合し、１００℃迄の低温にて乾燥したものである。
更に飼育飼料用原料に、米・麦などの農産物を食品にする時に生じた３０〜６０％含水の廃棄物（例えば藁等）と、添加物を混合して多孔質からなる廃棄物（藁等）の穴に添加物を染み混ませ１００℃迄の低温にて乾燥し、空気が抜けるようにした二重構造からなる袋に入れて発酵させたものてある。
【０００６】  添加物としては、乳酸菌液或は不用となった乳酸菌廃液又はあらゆる液体の粕を用いる。  尚、廃棄物と添加物との混合割合は、発酵させない場合は添加物を１０〜８０％、発酵させる場合は５〜６０％とし、混合のための撹拌時間は数分から数十分が最適である。
このように農業界や食品業界等からの廃棄物の再利用によって、牛に優しい飼育飼料とすることが出来ると共に、資源の節約に貢献し資源再生率を向上させることが出来る。
【０００７】  そして飼育飼料として用いると、乳酸菌などの添加物により大腸菌などの有害菌を３日までに無くし、発酵させない場合或は発酵させる場合共に安心できる飼育飼料となっているため、牛の消化機能を向上させ腸内での栄養吸収をより強力に行ない排泄量を抑制するため、メタンガスの発生を減少させ無臭化させることが出来る。
このため二酸化炭素に次いで多いメタンガスの大気に対する影響を少なくして地球温暖化の防止に役立たせることが出来る。
【発明の効果】
【０００８】  上述の如く本発明は、牛に優しい飼育飼料とすることが出来ると共に、農業界や食品業界等からの廃棄物を再利用することによって、資源の節約に貢献し資源再生率を向上させることが出来る。
又、飼育飼料として用いると、牛の消化機能を向上させ腸内での栄養吸収をより強力に行ない排泄量を抑制するため、メタンガスの発生を減少させ無臭化させることが出来、地球温暖化の防止に役立たせることが出来るなど多くの特長があり産業利用上非常に優れた発明である。
【発明を実施するための最良の形態】
【０００９】  飼育飼料用原料に、大豆・米・麦・林檎などの農産物を食品用にする時或は食べた後に生じた５〜６０％含水の廃棄物（例えば雪花菜・米ぬか・麦粉・林檎の皮や芯等）と、乳酸菌液或は不用となった乳酸菌廃液からなる添加物を混合し、１００℃迄の低温にて乾燥したものである。
【産業上の利用可能性】
【００１０】  家畜の飼育飼料として用いることが出来る。
(57)【要約】【課題】  栄養価の高い植物発酵エキスを何時でも、何処でも手軽に摂取する事ができる健康食品として、植物発酵エキスを含有するキャンディーを提供する。【解決手段】  通常の植物発酵エキスは水分が多くキャンディーに配合することは困難であるが、粉末状にした植物発酵エキスを用いることによって、栄養価の高い植物発酵エキスを配合した植物発酵エキスキャンディーを製造することができる。【選択図】なし【特許請求の範囲】
【請求項１】
飴基材に植物発酵エキスを配合したことを特徴とする植物発酵エキスキャンディー。
【請求項２】
飴基材に対して植物発酵エキスの配合量が０．０２〜０．０３％であることを特徴とする請求項１記載の植物発酵エキスキャンディー。
【発明の詳細な説明】
【技術分野】
【０００１】  本発明は、キャンディーに植物発酵エキスを配合した栄養価の高い植物発酵エキスキャンディーに関する。
【背景技術】
【背景技術】
【０００２】飴は砂糖と水飴の飴基材に味付け成分、色素、香料などが加えられ練り固められたものでハードキャンディーと言われる黒糖飴、ベッコウ飴、ハッカ・ニッキ飴、飴玉などが含まれる。ソフトキャンディーは、砂糖、水飴に黄粉、粉餡などを練り込んだものから、バター、練乳を練り込んだキャラメルなどがある。このような飴類は子供のおやつとして、また、大人の嗜好品として古くから人々に愛されてきた食品である。さらに、飴には糖類の吸収の良い点や保存性の良い点から緊急用の食品としてもその価値は大きいものである。【０００３】  一方、植物発酵エキスは、大豆、イチゴ、ユズ、カキ、キウイ、アケビ、ヤマモモ、ブドウ、キイチゴ、ブラックベリー、グミ、ヤマブドウ、スギナ、ブロッコリー、小松菜、モロヘイヤ、セロリ、山人参、キャベツ、シソ、パセリ、タンポポ、ニンジン、ホウレンソウ、オオバコ、ドクダミ、クマザサ、アカメガシワ、タマネギ、キュウリ、トマト、ショウガ、アスパラガス、ピーマン、ナスビ、ダイコン、ミツバ、シイタケ、マイタケ、霊芝、レンコン、ゴボウ、ミョウガ、ゴーヤ、セリ、米ぬか、ヨモギ、キンカン、イヨカン、根コンブ、コンブ、ミカン、リンゴ、抹茶、ニンニク、黒砂糖、クコ、ウコン、ビワの葉、メシマコブ、ハチミツ、キクラゲ、カボチャ、ケール、大麦若葉、プルーン、レモン、オリゴ糖、ヒジキ、ワカメ、カカオ、ブルーベリー、バナナを原材料としビタミン、ミネラルなどを多く含むことから日本人の食生活に欠かせない食品である。【０００４】  このように有用な植物発酵エキスは、そのままで食用されることが多いが、発酵臭が強く食し難いという問題があり、その利用の伸びに限界があった。そこで、植物発酵エキスの栄養価を考慮してより摂取し易い形態が求められ、その一環として、製菓への利用も試みられている。しかし、前述のように保存性が良く、手軽に摂取することが出来るキャンディーに、上記のように栄養素を多く含む植物発酵エキスを配合した飴は存在しなかった。それはキャンディーに植物発酵エキスを配合することは、植物発酵エキスそのものに水分が多いために飴の製造に不向きであったからである。
【発明の開示】
【発明が解決しようとする課題】
【０００５】  本発明は、上記事実に鑑みて何時でも、何処でも手軽に植物発酵エキスを摂取することが出来る健康食品として、植物発酵エキスを含有するキャンディーを提供することである。
【課題を解決するための手段】
【０００６】  本発明は上記問題を解決するために鋭意研究を重ねた結果、飴基材に粉末状の植物発酵エキスを配合することによって、何時でも、何処でも手軽に摂取することができる栄養価の高い植物発酵エキスキャンディーを製造することに成功した。【０００７】  本発明の第１の特徴は、飴基材に粉末植物発酵エキスを配合したことを特徴とする植物発酵エキスキャンディーである。通常の植物発酵エキスは水分が多くキャンディーに配合することは難しいが、粉末状にした植物醗酵エキスを用いることによって、植物発酵エキスを配合したキャンディーの製造に成功した。キャンディーに植物発酵エキスを配合することによって、健康志向の高い人が簡単にビタン、ミネラル等を摂取できるようになる。【０００８】  本発明の第２の特徴は、飴基材に対して植物発酵エキスの配合量が０．０２〜０．０３％であることを特徴とする請求項１記載の植物発酵エキスキャンディーである。飴基材に配合する植物発酵エキスの配合量は０．０２〜０．０３％が適当であり、これより少ないと植物発酵エキスの摂取量が減少し、植物発酵エキス含有量が０．０３％を超えると発酵臭が強くなる傾向がある。
【発明を実施するための最良の形態】
【０００９】  以下に本発明の実施の形態を示すが、本発明は以下の実施例に限定される物ではない。
【製造例】
【００１０】  水飴４８．０３３％、グラニュー糖４８．０３３％、オリゴ糖１．６６７％を約１５０度に過熱し完全に溶解させた後、アカメガシワエキス末１．８７５％、白桃花粉末０．１％、植物発酵エキス末０．０２５％を加えて混合し最後に香料０．２６７％を加え練り合わせ、機械で成型した。
【発明の効果】
【００１１】  キャンディーに粉末植物発酵エキスを配合することによって、飴の糖分と共に植物発酵エキスに含まれるビタミン、ミネラルなどの栄養分をバランスよく含む健康食品を提供すると共に、何処でも手軽に摂取できる効果を有している。
(57)【要約】【課題】  今までプランター等を設置することで  屋上、ベランダ等を狭く、危険にしていたがプランターに蓋を付けることで、上部を有効に使う。【解決手段】  格子の箱型プランター８を屋上、ベランダ等にならべ固定して蓋１をあけ  芝生、水草等４を入れて蓋の留めボルト３で固定して  上部を歩行等出来て屋上、ベランダ等を有効に活用できる。【選択図】図３
2008067686.tif 000002
【特許請求の範囲】
【請求項１】
屋上の防水の上にプラスチック等で作った蓋付きの格子の箱をならべ中に芝生、水草等を入れて蓋を閉めて上部を歩行可能とする。
【請求項２】
格子の箱の材質は用途によってペットボトル等の廃プラスチックからオレフィンなどの環境に良いもので作りコンクリートの土台にボルトで固定する。
【発明の詳細な説明】
【発明の詳細な説明】
【技術分野】
【０００１】    本発明は、建物の屋上、ベランダ等に蓋付きの格子の箱を並べてコンクリートの土台に固定させて中に芝生、水草等を入れて格子状の蓋をボルトで固定しその上を歩行など出来る屋上緑化となる。
【背景技術】
【０００２】    従来のプランターは足が当たったり、屋上、ベランダ等を狭くして、上部の有効利用をすることが  不可能でした。
【発明を実施するための最良の形態】
【０００３】    本発明はプランターの上部を歩行等できることによって屋上、ベランダ等の有効利用ができます。図面で説明すると格子の箱型プランター８を屋上等にならべ土台７に固定して蓋１をあけスポンジ５を敷きつめ芝生、水草等４を入れて蓋１を閉め、蓋１の留めボルト３で固定し上部を歩行します。
【発明の効果】
【０００４】    このようにすれば  プランターの上部を歩行等することができ、屋上、ベランダ等を有効につかえる屋上緑化が出来る。
【図面の簡単な説明】
【図１】    格子の箱型プランターの断面図である。
【図２】    格子箱型プランターの上から見た面図である。
【図３】    建物の上から見た図面である。
【符号の説明】
１  蓋
２  蝶つがい
３  蓋の留めボルト
４  芝生、水草等
５  スポンジ等
６  プランターの固定ボルト
７  プランターの土台
８  格子の箱型プランター
９  建物の屋上出入り口
１０  既存防水、既存屋上
【図１】
2008067686.tif 000003
【図２】
2008067686.tif 000004
【図３】
2008067686.tif 000005
(57)【要約】【課題】  Ｖ型ドラムでの圧縮摩擦力により牽引する事で捩れや縺れを生じていた網を、揚網効率を上げ、捩れや縺れを生じさせないように牽引揚網する。【解決手段】  Ｖ字型の牽引溝を有する船尾揚網装置の本体巻揚げドラム中央部に、Ｕ字型に新たな溝を設けて当該ドラムに複合牽引溝を形成し、上記巻揚げドラムを船尾揚網装置に取付け、回動自在に装着する。【選択図】図１
2008067683.tif 000002
【特許請求の範囲】
【請求項１】
旋網漁法に於ける旋網本船に使用される船尾揚網装置に於いて、本体巻揚げドラム中央部に、新たな溝を設けて複合牽引溝を形成したことを特長とする旋網の揚網装置用巻上ドラム。
【請求項２】
Ｖ字型の牽引溝の中央部にＵ字型の溝を設けた事を特長とする請求項１記載の揚網装置用の巻揚げドラム。
【発明の詳細な説明】
【技術分野】
【０００１】  本発明は旋網本船に於いて旋網の揚網時に使用される揚網装置用の巻上ドラムに関するものである。
【背景技術】
【０００３】  旋綱漁業に於いて、漁獲時に投綱した網は迅速に底部を閉じられ、しかる後に魚を掬う為に設けてある魚捕部を除いて早急に巻き取られ、その際揚網された網は次回の投網に備えるために丁寧に捌かれ折り畳まれながら網台の上に積み込まれてゆく。【０００４】  これら一連の作業の中で船尾からの揚網作業が最も重要で、揚網の基本となる作業であり、そのため船尾部に於いてはとりわけ揚網能力の高い揚網機が使用されている。
【発明の開示】
【発明が解決しようとする課題】
【０００５】  海中より揚網される網は、まず船尾後端部に設置された揚網装置で牽引され、続いてデリックブームあるいはマリンクレーン等に懸架された網捌き機で高い位置まで牽引され、そこから網台上に降ろされつつ捌かれて格納されている。【０００６】  この時使用される船尾の揚網装置は、ほとんどがＶ型断面の牽引溝を設けた捲揚げ用メインドラム（或いはメインローラーとも呼ばれる）を有する装置で、一般的にネットホーラーと称されている。【０００７】  この形状の揚網装置は、ドラムのＶ型の溝に自重あるいは押えローラーの圧力でドラムに押え付けられた網の抵抗による保持力に、ドラムを回転させる事で牽引力を生じさせ揚網を行うものである。【０００８】  しかしながらそれだけでは抵抗力が足りるとは言えず、網がスリップするのを抑えるために、ドラム上の網の上に人が乗って網を踏みつけたり、あるいは押えローラーの圧力を増加させる事で網のスリップを防止すると同時に、ローラーの牽引力を増大させていた。【０００９】  ところが旋網に於いて使用される網は幅数十メートルから百数十メートルもあり、さらに網の両側部水面側と海底側には浮子や沈子が固定されていて、これらを幅わずか１メートル程度のＶ型をしたローラードラムの溝に押し込める形になり、これを当該ドラムとの間に発生する抵抗力と、ドラムの回転力とで牽引することになる。【００１０】  この時単純なＶ型の溝を有するドラムでは、押し付けられた状態で一番圧力がかかり最も効率の良くなる場所、即ち溝の最深部に集約される網の量は少なく、従って牽引力は弱い。【００１０】  また、最も牽引力の強いドラム外周付近では、網が圧縮される力が弱く従って牽引効率は著しく低下する。【００１１】  その上Ｖ型の溝の形状をしたドラムが回転しつつ網を牽引するので、断面方向から見て外側から中央部へと部分的に回転する運動力（矢印ａ）が網に働き、その作用のために網が捩れたり縺れたりしてしまう。【００１２】  この結果、網同士がこすれ合ったり捩れすぎて破れてしまうことも多々あり、またその後に縺れや捩れを取るために必要な網捌き作業の手間が増加してしまっていた。
【課題を解決するための手段】
【００１３】  上述した課題を解決するため、本発明では下記のような構成とする。【００１４】Ｖ字型に形成した本体ドラム中央部に新たにＵ字型の溝を設けて、ドラム外周側はＶ字型、内側はＵ字型に設けた複合溝を形成する。【００１５】当該複合溝を有するドラムを揚網装置に取り付ける。【００１７】本装置に於ける牽引操作については、通常の作業順序に則って揚網作業を進める事が出来る。【００１８】海中より牽引された網は本揚網装置のドラムに引き込まれドラム上のＶ字型溝で順次中央部へと集約される。【００１９】集約された網は暫時圧縮されながら飽和状態に至るまでＵ字溝に押し付けられ、その状態で回転・牽引するので、集約された網が回転運動を始める事はなく、単純なＶ字型の溝に比較してドラム面への接触量も網量も多くなり牽引力は増大する。
【発明の効果】
【００２０】
【００２１】  本発明は上述したごとく、従来のＶ型ドラムで発生し易かった網の縺れや捩れを発生させることなく網量を増大させ、圧縮して牽引力を増加させて揚網可能に構成したもので、作業員の労力を低減し揚網作業の省力化に貢献出来るものである。
【発明を実施するための最良の形態】
【００２２】
【００２３】Ｖ字型の牽引溝を有する船尾揚網装置の本体巻揚げドラム中央部に、Ｕ字型に新たな溝を設けて、当該ドラムにＶＵ両字型の複合牽引溝を形成する。【００２４】上記ＶＵ複合牽引溝を形成した巻揚げドラムを、船尾揚網装置に回動自在に装着する。
【実施例】
【００２５】
【００３２】  以下実施例について図面を元に説明すると、図１は本発明の正面図、図２は中央断面図、図３、図４は作用説明図、図５は使用状態の説明図である。【００１５】Ｖ字型溝に形成した船尾揚網装置１の本体ドラム２中央部に、新たにドラム２の半分の幅程度のＵ字型溝３を設けてドラム外周側４はＶ字型、内側はＵ字型となる複合溝５を形成する。【００１５】当該複合溝５を有するドラム２を、油圧モーター等で回転可能に設けて揚網装置１に取り付ける。【００１７】本装置に於ける牽引操作については、通常の作業順序に則って揚網作業を進める事が出来る。【００１８】海中６より牽引された網７は揚網装置１のドラム２に引き込まれドラム２上のｖ字型溝で中央部へと集約（矢印ｂ）され圧縮される。【００１９】網７は暫時圧縮されながら飽和状態に至るまでＵ字溝３に押し付けられ（矢印ｃ）、その状態でドラム２が回転・牽引するので、単純なＶ字型の溝に比較してドラム２面への接触量も網量も多くなり結果として牽引力は増大する。
【産業上の利用可能性】
【００４８】  本発明は従来のネットホーラー等Ｖ型巻上げドラムを有する従来の船尾揚網装置では解決できなかった網の捩れや縺れを軽減する事が可能で、また効率の悪い圧縮抵抗にのみ頼っていた従来の方法を改善し、より多くの網を圧縮することによる牽引力を加味する事で総合的な牽引力を増大可能に設けたもので、旋網の揚網作業に大きく貢献するものである。
【図面の簡単な説明】
【図１】正面図
【図２】中央断面図
【図３】作用説明図
【図４】作用説明図
【図５】使用説明図
【符号の説明】
１            揚網装置
２            ドラム
３            Ｕ字型溝
４            ドラム外周側
５            複合溝
６            海中
７            網
【図１】
2008067683.tif 000003
【図２】
2008067683.tif 000004
【図３】
2008067683.tif 000005
【図４】
2008067683.tif 000006
【図５】
2008067683.tif 000007
(57)【要約】【課題】収録中の素材の時差送出時に収録停止を検出した時点で、映像・音声送出信号切替器を制御し、正常系の映像及び音声信号に切替えることにより送出を停止させることなく、安定に素材の送出を可能とする番組送出システムの実現。【解決手段】映像・音声信号を収録・送出する映像・音声収録送出機器、該映像・音声収録送出機器を制御する制御機器、前記映像・音声収録送出機器からの送出映像・音声信号を切替える送出映像・音声信号切替器を有する２重系の番組送出システムにおいて、番組素材の収録中あるいは送出中の少なくともいずれか一方の時に、片方の系の収録あるいは送出停止を検出した時点で、前記送出映像・音声信号切替器を制御し、正常系の映像及び音声信号に切替える番組送出システムの制御方法。【選択図】図１
2008067255.tif 000002
【特許請求の範囲】
【請求項１】
映像・音声信号を収録・送出する映像・音声収録送出機器、該映像・音声収録送出機器を制御する制御機器、前記映像・音声収録送出機器からの送出映像・音声信号を切替える送出映像・音声信号切替器を有する２重系の番組送出システムにおいて、番組素材の収録中あるいは送出中の少なくともいずれか一方の時に、片方の系の収録あるいは送出停止を検出した時点で、前記送出映像・音声信号切替器を制御し、正常系の映像及び音声信号に切替えることを特徴とする番組送出システムの制御方法。
【発明の詳細な説明】
【技術分野】
【０００１】
本発明はビデオサーバなどの映像・音声送出機器を用いた番組送出システムにおける、番組送出制御方法に関するものである。
【背景技術】
【０００２】
ローカル放送局などでは、キー局から配信される番組の映像・音声信号を一度収録し、一定時間経過後に放送する時差送出を行なっている。
ビデオサーバなどの映像・音声送出機器を用いた番組送出システムでは、２重系のシステム構成をとっており、素材を送出中に障害により送出が停止した場合、白動的に送出映像・音声信号切替機器を正常系に切替を行っている。
収録中の素材の映像・音声信号の送出を行う時差送出の場合、障害などによって片方の系の収録が停止すると、送出停止前に障害が検出されているにもかかわらず、自動的に送出映像・音声信号切替機器を正常系に切替えていないため、送出が収録停止位置まで送出した時点で障害検出され、そこで自動的に送出映像・音声信号切替機器を正常系に切替るため、切替えが完了するまでの間、送出が停止する。
【特許文献１】特開２００３−２５９１５９公報
【特許文献２】特開２００１−２１７７５３公報
【発明の開示】
【発明が解決しようとする課題】
【０００３】
上記、収録中の素材の映像・音声信号の送出を行う時差送出の場合、障害などによって片方の系の収録が停止すると、送出停止前に障害が検出されているにもかかわらず、白動的に送出映像・音声信号切替機器を正常系に切替えていないため、送出が収録停止位置まで送出した時点で障害検出がされ、そこで自動的に送出映像・音声信号切替機器を正常系に切替えるため、切替えが完了するまでの間、送出が停止する。
本発明は、これらの欠点を除去し、収録中の素材の時差送出時に障害などで片方の系の収録停止を検出した時点で、映像・音声送出信号切替機器を制御し、正常系の映像及び音声信号に切替ることにより、安定に素材の送出を可能にする番組送出システムの実現を目的とする。
【課題を解決するための手段】
【０００４】
本発明は上記目的を達成するため、映像・音声信号を収録・送出する映像・音声収録送出機器、該映像・音声収録送出機器を制御する制御機器、前記映像・音声収録送出機器からの送出映像・音声信号を切替える送出映像・音声信号切替器を有する２重系の番組送出システムにおいて、番組素材の収録中あるいは送出中の少なくともいずれか一方の時に、片方の系の収録あるいは送出停止を検出した時点で、前記送出映像・音声信号切替器を制御し、正常系の映像及び音声信号に切替える番組送出システムの制御方法である。
【発明の効果】
【０００５】
本発明によれば、番組素材の収録中あるいは送出中の少なくともいずれか一方の時に、片方の系の収録あるいは送出停止を検出した時点で、映像・音声送出信号切替器を制御し、正常系の映像及び音声信号に切替えることにより、送出を停止させることなく、安定に素材の送出が可能になる。
【発明を実施するための最良の形態】
【０００６】
最初に、本発明の一実施例の構成について、図１を用いて詳細に説明する。
１０１は制御機器で、映像・音声収録送出機器１０２とＲＳ４２２などの制御線で接続されている。
１０２は、ビデオサーバ等の映像・音声収録送出機器で、映像・音声信号の収録および送出を行う。
１０３はビデオサーバ等の映像・音声収録送出機器１０２からの映像・音声信号の切替えを行う送出映像・音声信号切替器で、ＲＳ４２２等の制御線で制御機器１０１に接続されている。制御機器１０１および映像・音声収録送出機器１０２は、同一機器で２重系を構成している。
１０４は上位システムで、収録送出制御などを行うシステムであり、ＲＳ４２２などの制御線で制御機器１０１に接続されている。
次に、本発明の番組送出システムの一実施例における処理動作を、図２を用いて詳細に説明する。
最初に、制御機器１０１において、上位システム１０４からの番組収録制御信号を受信する。(ステップ２０１)
次に、制御機器１０１は、ビデオサーバ等の映像・音声送出機器１０２を制御し、番組の映像・音声信号の収録を開始する。(ステップ２０２)
次に、制御機器１０１において、上位システム１０４からの番組送出制御信号を受信する。(ステップ２０３) 
番組送出制御信号を受信後、制御機器１０１は、ビデオサーバ等の映像・音声収録送出機器１０２を制御し、番組の映像・音声信号の再生を開始する(ステップ２０４)。
次に、制御機器１０１は、ビデオサーバ等の映像・音声収録送出機器１０２の収録状態の監視を行う。(ステップ２０５)
そして、収録状態の障害を検出した場合、送出映像・音声信号切替器１０３を制御し、正常な系のビデオサーバ等の映像・音声収録送出機器１０２からの再生映像・音声信号に切替え出力する。(ステップ２０６)
次に、制御機器１０１は、ビデオサーバ等の映像・音声収録送出機器１０２の送出状態の監視を行う。(ステップ２０７)
そして、送出状態の障害を検出した場合、送出映像・音声信号切替器１０３を制御し、正常な系のビデオサーバ等の映像・音声収録送出機器１０２からの再生映像・音声信号に切替え出力する。(ステップ２０８)
以上説明したように、収録中の番組素材の時差送出時に、片方の系の収録停止を検出した時点で、映像・音声送出信号切替器を制御し、正常系の映像及び音声信号に切替えることにより、送出を停止させることなく、安定に番組素材の送出が可能になる。
【図面の簡単な説明】
【０００７】
【図１】本発明の番組送出システムの一実施例の構成を示すブロック図
【図２】本発明の番組送出システムの処理方法を示すフローチャート
【符号の説明】
【０００８】
１０１：制御機器、１０２：ビデオサーバ等の映像・音声収録送出機器、１０３：送出映像・音声信号切替器、１０４：上位システム
【図１】
2008067255.tif 000003
【図２】
2008067255.tif 000004
(57)【要約】【課題】１枚の羽部を起こすだけで転倒防止用の足とでき、その目的とするところは、まさに誰にでも容易に脚部を起こす事のでき、及び金型形状を簡単にし、投資コストの削減できる表示ケースを提供することにある。【解決手段】本発明の表示ケースは、ケースの基部となる背面部に薄肉部にて接続してケースと一体成形された1ヶ所以上の羽部と、該羽部根元付近に爪部を持ち、該羽部は折り曲げる事により、該爪部を乗り越し、折り曲げた位置にて羽部が元に戻りにくいようにしたことを最も主要な特徴とする。【選択図】図１
2008067913.tif 000002
【特許請求の範囲】
【請求項１】
表示ケースに１枚以上の表示物を抜き差し自在に収容可能な表示ケースにおいて、該ケースの背面側に薄肉部にて接続して該ケースの基部に一体成形された1ヶ所以上の羽部と、該羽部根付近に爪部とを備え、該羽部は折り曲げる事により、該爪部を乗り越し、折り曲げた位置にて羽部が元に戻りにくくしたことを特徴とする表示ケース。
【請求項２】
前記表示ケースの主たる材料が、ポリ乳酸などの生分解性材料にて形成されたことを特徴とする請求項１に記載の表示ケース。
【発明の詳細な説明】
【技術分野】
【０００１】
本発明は、卓上カレンダーや各種の写真パネル類やメモ用紙や商品のキャンペーン表示などの表示物を、上部の開口から簡単に収容して表示する一般プラスチックおよび生分解性プラスチック製ケースにおいて、一体物の羽部を折込むだけでケースの倒れを防止する脚部を形成することができる表示ケースに関するものである。
【背景技術】
【０００２】
従来、表示ケースには、板紙製やプラスチックシート製、プラスチック成形物などがある。ほとんどの場合、卓上カレンダーや各種の写真パネル類や商品のキャンペーン表示などの表示物を保持するケース部と、ケース部を安定して立てるための脚部を持っている。
【０００３】
特にカレンダーケースの提案が多く、ケース型卓上カレンダー（特開２０００−１７７２６９号公報）、カレンダー用台紙、組立台及び収納形態（特開２００２−１０３４８６Ａ号公報）、表示ケース（特開２００６−２０８９２６号公報）等がある。
【０００４】
これらの提案の多くは、２枚の脚部シートに対し、もう一枚のシートを絡めるようにして転倒防止用の足としていた。
【特許文献１】特開２０００−１７７２６９号
【特許文献１】特開２００２−１０３４８６Ａ号
【特許文献１】特開２００６−２０８９２６号
【発明の開示】
【発明が解決しようとする課題】
【０００５】
本発明は１枚の羽部を起こすだけで転倒防止用の足とでき、その目的とするところは、まさに誰にでも容易に脚部を起こす事のでき、及び金型形状を簡単にし、投資コストの削減できる表示ケースを提供することにある。
【課題を解決するための手段】
【０００６】
上記目的を達成するため本発明の表示ケースは、ケースの基部となる背面部に薄肉部にて接続してケースと一体成形された1ヶ所以上の羽部と、該羽部根元付近に爪部を持ち、該羽部は折り曲げる事により、該爪部を乗り越し、折り曲げた位置にて羽部が元に戻りにくいようにしたことを最も主要な特徴とする。
【発明の効果】
【０００７】
本発明の表示ケースは、卓上カレンダーや各種の写真パネル類や商品のキャンペーン表示などの表示物を、簡単に収容して表示するプラスチック製表示ケースにおいて、一体物の羽部を折込むだけでケースの倒れを防止する脚部を形成することができる表示ケースを提供できる。
【発明を実施するための最良の形態】
【０００８】
表示ケースの材料は、ヒンジ特性の良いポリプロピレンにて成形し、折り曲げる事により足部となる羽部は２枚配することが望ましい。
【実施例１】
【０００９】
本発明の実施形態について詳しく説明する。本実施例で説明する形状は、これを限定する物ではない。図１は、本発明の表示ケースの斜視図である。２は背面部を示し、３は表示物保持部、４は羽部、５は爪部である。背面部２と表示物保持部３間には隙間を配し、この隙間にカレンダー用紙や、写真パネル、キャンペーン表示物を挿入する。
【００１０】
図２は、表示ケースの背面方向からの斜視図である。さらに図３は、表示ケースの正面図であり、図４は、表示ケースの背面図である。６は係り部を示し、７は薄肉部である。背面部２は、爪部５と、薄肉部７にて接続して羽部４を２ヶ所配している。羽部４は折り曲げ後表示ケースの倒れ防止用の足となる。
【００１１】
図５は、羽部４を折り曲げる前の爪部３と係り部６を示した断面図である。この時、背面部２には突起形状の爪部５を配し、羽部４は係り部６を配している。
【００１２】
図６は、羽部４を折り曲げた後の爪部３と係り部６を示した断面図である。ケースの倒れ防止用脚部を組み立てる時、羽部４を折り曲げ、羽部４は薄肉部７を回転の中心として折り曲げられ、係り部６は突起形状の爪部５を押し、薄肉部７の延びによって乗り上げ、爪部５を乗り越した係り部６は、薄肉部７が元に戻る事により、爪部５に引っ掛かり、羽部４は固定される。
【００１３】
図７は、爪部５を凹にした状態の羽部４を折り曲げる前の爪部５と係り部６を示した断面図である。図５においては爪部５を凸形状として説明したが、爪部５は凸形状のみに限定する物ではなく、図７では、爪部５を凹形状として説明する。
【００１４】
図８は、爪部５を凹にした状態の羽部を折り曲げた後の爪部５と係り部６を示した断面図である。ケースの倒れ防止用脚部を組み立てる時、羽部４を折り曲げ、羽部４は薄肉部７を回転の中心として折り曲げられ、係り部６は突起形状の爪部５を押し、薄肉部７の延びによって乗り上げ、爪部５を乗り越した係り部６は、薄肉部７が元に戻る事により、爪部５に引っ掛かり、羽部４は固定される。
【産業上の利用可能性】
【００１５】
本発明の表示ケースは、卓上カレンダーや各種の写真パネル類やメモ用紙や商品のキャンペーン表示などの表示物を、簡単に収容して表示する一般プラスチックおよび生分解性プラスチック製表示ケースなどに、一体物の羽部を折込むだけで容易にケースの倒れを防止する脚部を構成する表示ケースに利用できる。
【図面の簡単な説明】
【００１６】
【図１】本発明の表示ケースの表面方向からの斜視図である。
【図２】表示ケースの背面方向からの斜視図である。
【図３】表示ケースの正面図である。
【図４】表示ケースの背面図である。
【図５】羽部を折り曲げる前の爪部と係り部を示した断面図である。
【図６】羽部を折り曲げた後の爪部と係り部を示した断面図である。
【図７】爪部を凹にした状態の羽部を折り曲げる前の爪部と係り部を示した断面図である。
【図８】爪部を凹にした状態の羽部を折り曲げた後の爪部と係り部を示した断面図である。
【符号の説明】
【００１７】
２    背面部
３    表示物保持部
４    羽部
５    爪部
６    係り部
７    薄肉部
【図１】
2008067913.tif 000003
【図２】
2008067913.tif 000004
【図３】
2008067913.tif 000005
【図４】
2008067913.tif 000006
【図５】
2008067913.tif 000007
【図６】
2008067913.tif 000008
【図７】
2008067913.tif 000009
【図８】
2008067913.tif 000010
(57)【要約】      （修正有）【課題】ボール回転軸の方向を定め、飛球軌道の安定化を計り、ボールを発射させ装置を提供する。【解決手段】３個のローター７，８，９の回転速度を個別に変えることと、ローターの回動角度を変えることによって、ボール回転軸の方向を自在に変える。またボール１３が発射される時、ボールには３方向から同時に圧力がかかり、ローター表面での横滑りが防止され、飛球軌道の安定化を計るものである。【選択図】図１
2008067735.tif 000002
【特許請求の範囲】
【請求項１】
図１において、７，８，９はローター、１０はローターの中心を通りローター回転軸
１１に直角の中心線、１０の中心線３本は略同一面上で概ね交差角１２０度の間隔に位置
し、７．８．９のローターはボール１３に適度の圧力がかかる位置で各々の中心線１０を
軸に回動する装置。
【発明の詳細な説明】
【技術分野】
【０００１】
本発明は、ボールの回転軸方向を定め、飛球軌道の安定化を計る３軸ローターピッチングマシンに関する。
【背景技術】
【０００２】
従来の３軸ローターピッチングマシンによって発射されるボールの回転軸方向は、ボールの飛球方向に対し直角である。
【０００３】
また、従来のローター回動方式の２軸ローターピッチングマシンによって発射されるボールの飛球軌道はローター表面においてボールの横滑りが発生し飛球軌道が安定せず、
水平方向に対しボール回転軸方向を変える時は一対のローターの方向を変えるものである。
【０００４】
以下、図2により従来の３軸ローターピッチングマシンについて説明する。
図２において、１，２，３は外周部分に適度の厚みの柔軟性のあるゴム状のものを貼りつ
けたローターで、４はローターの回転軸、６はローターの回転方向、５はローターの中心
を通り４の回転軸に直角な中心線であり各々のローターは概ね交差角１２０度の間隔で、
４の回転軸は互いに面上に並び固着され、５の中心線が交わる中央部にボールを挿入し
ローターの回転力によりボールを発射させるものであり、
【０００５】
１、２、３のローターの回転速度を各々に個別に変えてボールの飛球速度、ボールの
回転速度、ボール回転軸の方向を変え、ボールの軌道を設定するものである。
【０００６】
図３により従来のローター回動方式の２軸ローターピッチングマシンについて説明する。
図３において、１６，１７は前記１，２，３と同様のローターであり、１８はローターの回転軸、１９の矢印はローター回転方向、２０はローターの中心を通り１８の回転軸に直角な中心線、２１は２０の中心線に直角で１６、１７のローターの中間線、
【０００７】
１６，１７のローターは２０の中心線を軸に回動し、２０の中心線と２１のローター中間線の交点にボール１５を挿入しローターの回転力によりボールを発射させるものであり、
１６、１７のローターの回転速度を変えることにより、ボールの発射速度、ボールの回転数、及び２０の中心線を軸に直角回りの方向にボールの回転軸方向を変えるものである。
【０００８】
【特許文献１】特開平１１−１９２６９                      特開２００２−２３９０５２                      特開２００６−６１２３１
【発明の開示】
【発明が解決しようとする課題】
【０００９】
従来の３軸ローターピッチングマシンでは、ボール回転軸の方向は飛球方向に対し常に直角で、方向を定めボールを発射させることが出来ない。  
【００１０】
ローター回動方式の２軸ローターピッチングマシンは、ローター表面においてボールの横滑りが発生し飛球軌道が安定せず、
水平方向に対しボール回転軸方向を変える時は一対のローターの方向を変えなくてはならない。
【００１１】
人の手によって投げるボールの回転軸方向は様々であり、回転軸方向によってボールの軌道も変わるものである。
【００１２】
本発明は、ボール回転軸の方向を定め、飛球軌道の安定化を計り、ボールを発射させるのが目的である。
【課題を解決するための手段】
【００１３】
本発明の上記目的を達成のために、図１により説明する。７，８，９は外周部分に適度
の厚みの柔軟性のあるゴム状のものを貼り付けたローター、１０はローターの中心を通り
ローター回転軸１１に直角の中心線、１２はローター回転方向を示す矢印、１０の中心線３本は同一面上で概ね交差角１２０度の間隔に位置し、７．８．９のローターはボール
１３に適度の圧力がかかる位置で各々の１０の中心線を軸に回動する。装置により
【発明の効果】
【００１４】
本発明の目的である、ボール回転軸の方向を定め、飛球軌道の安定化を計り、ボールを発射させることができ、
【００１５】
素早くボールの飛球軌道の変更が可能で、あらゆる投手の投球軌道を再現することが可能となり、野球の打撃練習に於ける打撃技術の向上に効果を発揮するものである。  
【発明を実施するための最良の形態】
【００１６】
以下、本発明の実施の形態を図１に基いて説明する。
１０のローター中心線を軸に７．８．９の各ローターを回動させ、ほぼ同じ角度に方向を
変える。
【実施例】
【００１７】
上記の方法により方向を変えた３個のローターの回転速度が同一で、１０の中心線が交わる中央部にボール１３を挿入し、ローターの回転力によりボールを発射させればボール回転軸の方向は飛球方向と平行になり、
【００１８】
７，８，９のローターの回転速度を個別に変えることと、ローターの回動角度を変えることによって、ボール回転軸の方向を自在に変えることができる。
【００１９】
またボールが発射される時、ボールには３方向から同時に圧力がかかり、ローター表面での横滑りが防止され、飛球軌道の安定化を計るものである。
【図面の簡単な説明】
【００２０】
【図１】本発明のローター回動方式の３軸ローターピッチングマシン
【図２】従来のローター固着方式の３軸ローターピッチングマシン
【図３】従来のローター回動方式の２軸ローターピッチングマシン
【符号の説明】
【００２１】
１    固着ローター
２    固着ローター
３    固着ローター
４    ローター回転軸
５    ローターの中心を通り４の回転軸に直角な中心線
６    ローター回転方向矢印
７    回動するローター
８    回動するローター
９    回動するローター
１０  ローターの中心を通りローター回転軸１１に直角の中心線
１１  ローター回転軸
１２  ローター回転方向矢印
１３  挿入ボール
１４  挿入ボール
１５  挿入ボール
１６  回動するローター
１７  回動するローター
１８  ローター回転軸
１９  ローター回転方向矢印
２０  ローターの中心を通り１８の回転軸に直角な中心線
２１  ２０の中心線に直角で、ローター１６，１７の中間線
【図１】
2008067735.tif 000003
【図２】
2008067735.tif 000004
【図３】
2008067735.tif 000005
(57)【要約】【課題】  スケート（ローラースケート、スケートボード、アイススケート）や一輪車において、効率よくかつ安全に練習が大人から子供までできる補助機を提供する。【解決手段】  練習前に押しボタン式高さ調整２で高さ調整をし、練習者に最適な高さにする。また、ロック機能付中折れバー４を２箇所まっすぐにロックさせる。そして、フレーム本体１上部をしっかりにぎり、平坦な場所で安全を確保しながらローラースケート、スケートボード、アイススケートおよび一輪車の練習が安全かつ効率的にできる。【選択図】        図１
2008067730.tif 000002
【特許請求の範囲】
【請求項１】
スケート（ローラースケート、スケートボード、アイススケート）および一輪車の練習時、自在キャスター付きのフレーム本体につかまって、練習者とフレーム本体ごと移動できる補助機。
【発明の詳細な説明】
【技術分野】
【０００１】
本発明は、スケート（ローラースケート、スケートボード、アイススケート）および一輪車に関するものであり、移動できる補助機のため安全かつ効率的な練習ができる。
【背景技術】
【０００２】
従来は、ローラースケート、スケートボードおよび一輪車においては、練習者とともに移動できる補助機はなかった。
アイススケートにおいては、練習時、標識のコーンやいすを使っていた。そのため、前かがみを強いられた練習しかできなかった。
【発明の開示】
【発明が解決しようとする課題】
【０００３】
従来は、ローラースケート、スケートボードおよび一輪車においては、固定した鉄棒などで練習していたので、効率的な練習ができなかった。
アイススケートにおいては、前かがみを強いられた練習しかできなかったため、危険を伴った。
【課題を解決するための手段】
【０００４】
本発明請求項１は、自在キャスターのついたフレームにより、補助具全体が移動できる。よって、ローラースケート、スケートボード、アイススケートおよび一輪車において、安全かつ効率的な練習ができる。
【０００５】
本発明は、フレーム下部に高さ調節機能がついた自在キャスターを取り付ける。この補助具につかまりながら、ローラースケート、スケートボード、アイス
スケートおよび一輪車の練習が安全かつ効率的にできる。請求項１においては、フレーム本体１下部に押しボタン式高さ調節２を設けた自在キャスター３を３箇所に取り付ける。フレーム本体１の中心にロック機能付中折れバー４を上下２箇所に取り付ける。前部支柱５は蝶番６、２箇所でフレーム本体１でつながれ、フレーム本体１とロック機能付中折れバー４はリンク７でつながっていて、ロック機能付中折れバー４を折りたたむとフレーム本体１が折りたたまれロック機能付中折れバー４は折れきったときにもロックができる。
【発明の効果】
【０００６】
これらにより、練習前に高さ調整をし、練習者に最適な高さにする。また、ロック機能付中折れバー２箇所をまっすぐにロックさせる。そして、フレーム本体上部をしっかりにぎり、平坦な場所で安全を確保しながら自在キャスター３の作用で練習者の行きたい方向へフレーム本体１が移動する。また、練習者がフレーム本体１上部につかまって動きを止めることにより、自然に速度が落ち、安全に練習者とともに停止できる。よって、ローラースケート、スケートボード、アイススケートおよび一輪車の練習が安全かつ効率的にできる。
収納時は、中折れバー２箇所を折り曲げることにより、フレーム本体が折りたたまれてコンパクトになる。よって、大人から子供まで使用できる。
【発明を実施するための最良の形態】
【０００７】
図１は、ローラースケートの練習時の斜視図で、フレーム本体につかまりながら練習者と補助機ごと進むことができる。これにより、練習者の転倒する可能性を激減できる。よって、安全かつ効率的な練習ができる。
【０００８】
図２は、補助機のみの斜視図。
【産業上の利用可能性】
【０００９】
本発明に係るスケート、一輪車補助機は、工業的に量産することが可能であるため、産業上の利用可能性を有する。
【図面の簡単な説明】
【００１０】
【図１】ローラースケートの練習時の斜視図。
【図２】補助機のみの斜視図。
【符号の説明】
【００１１】
１    フレーム本体
２    押しボタン式高さ調節
３    自在キャスター
４    ロック機能付中折れバー
５    前部支柱
６    蝶番
７    リンク
【図１】
2008067730.tif 000003
【図２】
2008067730.tif 000004